(57)【要約】【課題】  簡単な構造で室内空間の環境をマイナスイオンとアロマテラピーによる癒しの香で満たすと同時に、人体に良好と公知されている放射線ホルミシスの効果を得ることができる空気清浄装置の提供を目的とする。【解決手段】  簡便な仕様でありながら、装置水タンク内に装着した銅網が水道水を殺菌、水道水中のトリハロメタンを除去し、ラジウム鉱石を材料としたセラミックを組み込むことでアロマテラピーのハーブオイルを配合してもオイル水溶液を強力にイオン化することが可能となり、超音波振動子により霧化可能とする空気清浄器であり、該装置水タンク内の水を強力にイオン化させ、超音波振動子により霧化できると共に放射線ホルミシス効果を得ることができるようラジウム鉱石を材料とするセラミックを組み込んだ室内空調器を製造することを特徴とする。【選択図】  図１
2005030751.tif 000002
【特許請求の範囲】
【請求項１】
天然放射性稀有元素鉱物／又は天然放射性稀有元素物質を含有するセラミックを通過させた水道水／又は浄化水／或いはミネラル水を超音波で振動させ霧条にして空気中に放出する機能をもった空気清浄器。
【請求項２】
天然放射性稀有元素鉱物／又は天然放射性稀有元素物質を含有するセラミックと銅片／又は銅網とを通過させた水道水／又は浄化水／或いはミネラル水を超音波で振動させ霧条にして空気中に放出する機能をもった空気清浄器。
【請求項３】
天然放射性稀有元素鉱物が低線量放射線多元素共存鉱石であるラジウム鉱石であることを特徴とする請求項１から請求項２に記載の空気清浄器。
【請求項４】
天然放射性稀有元素鉱物が低線量放射線多元素共存鉱石であるトリウム鉱石／又はモズナ石であることを特徴とする請求項１から請求項２に記載の空気清浄器。
【請求項５】
天然放射性稀有元素鉱物が花崗岩石であることを特徴とする請求項１から請求項２に記載の空気清浄器。
【請求項６】
水タンク内に磁気化処理装置を組み込んだことを特徴とする請求項１から請求項２に記載の空気清浄器。
【請求項７】
人にとってアロマテラピー効果が期待できるハーブ植物等から抽出された各種エッセンスをタンク内の水に添加可能とする機能を備えていることを特徴とする請求項１から請求項２に記載の空気清浄器。
【請求項８】
天然放射性稀有元素鉱物／又は天然放射性稀有元素鉱物を含有するセラミックが脱着、交換可能なカートリッジ形状であることを特徴とする請求項１から請求項２に記載の空気清浄器。
【請求項９】
請求項１から請求項８記載の特徴を少なくても２つ以上組み合わせた装置であることを特徴とする空気清浄器。
【請求項１０】
請求項１から請求項８までの少なくとも１項以上の機能を備えた装置であることを特徴とする冷風機能を備えた空気清浄器。
【請求項１１】
請求項１から請求項８までの少なくとも１項以上の機能を備えた装置であることを特徴とする気化式加湿機能を有する空気清浄器。
【発明の詳細な説明】
【発明の詳細な説明】
【技術分野】
【０００１】  本発明は天然放射性稀有元素鉱物であるラジウム鉱石を材料とし且つラジウム鉱石が放出する低線量α線を医療的効果をもって安定且つ豊富に放射されるよう調整したセラミックを製造。該セラミックを組み込むことで低線量α線であるラドン・ガスを安定放出することを可能とし、強力なイオン化効果をもたらすことを可能とした空気清浄器の製造に関するものである。
【背景技術】
【０００２】  大自然の空気にはマイナスイオンが豊富に存在し、その中でも森林や渓流（マイナスイオン数が約２千〜５千個／ｃｃ）よりも滝の周辺（マイナスイオン数が約１０千〜１８千個／ｃｃ）はマイナスイオンが豊富であることから人にとって快適場所であると評されている。このうちマイナス・小イオンは肺から身体血管に入り、精神的には気分を高揚させ、身体的には体内の自然なバランスを回復させる作用をもつことが公知されている。  上記の効果を求めイオン発生機能をもつ多くの空気清浄器が開発され販売されており、機能別には▲１▼金属電極を用いて放電させるもの、▲２▼水を粉砕させるもの、▲３▼紫外線を利用するもの、▲４▼天然鉱石を用いるもの、等がある。  しかし従来のイオン発生を目的とした空気清浄器は何れも空気中にイオンを発生させるだけか、精々が湿度を調整する機能を付加したものに限られていた。
【発明が解決しようとする課題】
【０００３】  室内空間の環境を人にとって快適なものとする方法の一つに、室内空気をイオン化処理し室内に供給する方法が知られているが、その殆どが単にイオンを発生させるだけか、精々湿度調整機能が付加された空気清浄器であった。  そこで室内にイオンを放出しながら、例えば温泉浴のように医学的に人体に良好と公知されている効果を獲得でき、且つアロマテラピーのように香りによる癒し効果を得られることを可能とする多機能な空気清浄器の開発が望まれていた。
【０００４】  本発明はこのような課題を解決せんとなされたものであり、そのための装置を提供することを目的にしている。
【０００５】  空気をイオン化する方法に、金属電極を用いて放電させる方法（コロナ放電など）、水を粉砕させる方法、紫外線を利用する方法、天然鉱石を用いる方法等があげられるが、発明者は簡便な仕様でありながらイオンの発生は勿論、身体の医療的効果、精神の癒し効果を同時に得ることができる空気清浄器を開発した。  該空気清浄器は、装置タンク内に組み込んだ銅網が、例えば水道水に含まれるトリハロメタンを除去し、またタンク内の水を滅菌する機能を組み込むことが可能である。  該空気清浄器は、低線量の天然放射性稀有元素鉱物であるラジウム鉱石を材料としたセラミックを装着することでα線のラドン・ガスを発生させ、室内空間を強力にマイナスイオン化させることが可能であり、アロマテラピー効果を得るために該装置のタンク内にハーブオイル等を配合してもタンク内の水をイオン化、霧化することが可能であることに着目し、本発明が解決しようとする課題を解決できることを発見した。
【０００６】  水を噴霧するとレナード効果によりマイナスイオンが発生することが公知されている。このレナード効果は水分子の衝突による電離作用によるものであるから、水以外の液体を使用した場合には必ずマイナスイオンが発生するとは限らず、マイナスイオン発生装置の製造会社は、該装置を利用するには水道水／又は浄化水の何れかのみを使用し添加物等が混入しないようユーザーに注意を求めている。  本発明の空気清浄器は、該装置に組み込んだ天然放射性稀有元素鉱物であるラジウ厶鉱石を材料としたセラミックが放出するラドンガスの強力な電離作用により水分子や油類分子をイオン化することから、ハーブオイル等の油類も当然にイオン化可能でありレナード効果をもたらすことが可能である。
【０００７】  水を端末がＮ極とＳ極であるような磁気を帯びた磁石棒の間を通過させ磁気化処理すると水分子のクラスターは小さく変わる。次にこの水分子が天然放射性稀有元素鉱物であるラジウム鉱石を材料としたセラミックと接触すると、小さくなった水分子の原子が励起され大量の電子が発生する。  この発生した大量の電子が強力なイオン化作用を起こしてスーパーオキサイドアニオンが生じ、この生じたマイナスイオンを室内の人が呼吸により体内に吸収することによって人体内のフリーラジカルは非ラジカルとなり安定化する。  また、このマイナスイオンは室内空気中のたばこの煙やホルムアルデヒドなどの有害物質や揮発性の臭いの元に付着し中和することで臭いを発する性質を無くする作用を行うことが公知されている。
【０００８】  ラジウム鉱石を材料とした該セラミックは油脂類をも強力にイオン化することを可能とする。該イオン化されたハーブオイル水溶液を超音波で霧散するとき、ハーブオイル油脂の界面活性力が強まり、フリーラジカルとなっているプラスイオンの人体に吸い付くように到着し呼吸として体内に吸収されることから、室内にいる人に対して確実にアロマテラピー効果をもたらすことが可能となる。
【０００９】  低線量放射線治癒効果を「放射線ホルミシス効果」といい、わが国における大学や研究機関から、▲１▼抗酸化機能が高まり老化抑制効果、▲２▼癌の抑制効果、▲３▼生体防御機能の活性化、▲４▼遺伝子損傷修復機構の活性化といった効果があると報告されている。特に、ラドン・ガスを人体に吸入させる実験ではインスリン（血糖量の調整）、βエンドルフィン（鎮痛作用）、α−ＡＮＰ（血管の拡張）等のホルモンの分泌が増加し、生体の調整機能が高まることが知見され報告されている。
【００１０】  ラドン・ガスの適当量が人体の呼吸により肺や直接血液中、又は皮膚を通して組織内に吸収されると人体においてはその強力なイオン化作用が血液及び組織内に働き血液内の中性脂肪、コレステロール、過剰な糖分等に対する生理的代謝作用が促進され、血液が浄化されると同時に組織内に停滞している凝りや痛みの原因物質への化学反応が促進され、消退されることは知見され報告されている。
【００１１】  ラドンおよびトロンは自然界に存在する物質中で最も強力なイオン化作用を有しており、常温ではガス体で、体内に吸収された元素は数時間内にして呼吸器を通じて炭酸ガスと共に体外に排出され、極めて少量が体内に残存するが、これらの元素は何れも半減期が短く何ら生体に対して有害とはならないことは公知されている。
【００１２】  本発明の空気清浄機に使用する水は、水タンク／或いは水タンクから霧散するための装置である超音波振動子に至るまでの水路の途中に銅線／又は銅網を設けることによって容易にトリハロメタンを除去、殺菌することが可能となった。
【００１３】  以上のことから、本発明の装置は、水道水を使用してもトリハロメタンの危険性を危惧することなく、ラドンガスの低線量α線と強力なイオンを帯びた水分子を霧散することができることから人体に対して精神的な落ち込みを高揚させる他、体内の自然なバランスを回復し放射線ホルミシス効果を得ることができるものである。また、室内環境においては強力なマイナスイオンにより室内空気を浄化することができ、同時にラドン・ガスの強力な電離作用は室内病原菌を殺菌或いは滅菌することを可能とするものである。
【実施例１】
【００１４】  本発明に係わる室内空気清浄機を図面に示した実施例に基づき説明する。ただし、本発明はこれにより限定されるものではない。
【図面の簡単な説明】
【００１５】
【図１】空気清浄機平面図
【図２】空気清浄機測面図
【符号の説明】
１    天然放射性稀有元素鉱物（ラドン鉱石）含有セラミック２    超音波振動子３    水量チェックスイッチ４    水タンク５    空気清浄器外枠６    電源・空気量調整ツマミ７    空気吸入口８    吹出口９    磁気化処理装置
【図１】
2005030751.tif 000003
【図２】
2005030751.tif 000004